(57)【要約】      （修正有）【課題】株主総会において受付作業を効率的に行うことができる株主総会出席票を提供する。【解決手段】株主総会に来場した株主と関連付けるための紙材からなる株主総会出席票１である。株主総会出席票である旨２３と所定の識別番号２４が印刷された出席票本体２と、識別番号３２およびバーコード情報３３が印刷された出席票小札３とからなる。出席票本体２の周縁部に出席票小札３が切り取り可能な状態で設けられ、出席票小札３は表面に非接着層が形成されるとともに、裏面に接着部が設けられている。【選択図】図１
0003194042.tif 000002
【実用新案登録請求の範囲】
【請求項１】
株主総会に来場した株主と関連付けるための株主総会出席票であって、
少なくとも株主総会出席票である旨と所定の識別番号が印刷された出席票本体と、
該識別番号および／または識別番号に関連付けられた情報が印刷された出席票小札とからなり、
前記出席票本体の周縁部に出席票小札が切り取り可能な状態で設けられ、該出席票小札の裏面に接着部が露出された状態で設けられていることを特徴とする株主総会出席票。
【請求項２】
前記出席票小札は、裏面の接着部が接着しない、または接着しにくい非接着層が表面に形成されている請求項１に記載の株主総会出席票。
【請求項３】
前記非接着層は、出席票小札の表面に塗布された状態で形成されている請求項２に記載の株主総会出席票。
【請求項４】
前記非接着層は、シリコンニスからなる請求項３に記載の株主総会出席票。
【考案の詳細な説明】
【技術分野】
【０００１】
本発明は、株主総会に来場した株主と関連付けるための株主総会出席票に関するものである。
【背景技術】
【０００２】
株主総会とは、株式会社の機関の一つであり、株主を構成員とし、会社の基本的な方針や重要な事項を決定する。株主は実質的な会社の所有者であり、株主総会は会社の最高機関である。従来、株券を所有し配当を得るだけの株主が多く、株主総会はほとんど形骸化している場合が多かった。
【０００３】
しかしながら、近年、会社法の改正も相俟って、株主が本来の役割を実現するために株主総会に出席する場合が多くなっている。特に株式投資ブームにより個人の株式投資家が増大し、株主総会に多くの株主が出席するようになっている。
【０００４】
このため株主総会に出席した株主を管理する必要性が増し、この道具の一つとして株主総会出席票が知られている。この株主総会出席票は、少なくとも株主総会出席票である旨と所定の識別番号が印刷された出席票本体と、該識別番号やバーコード情報が印刷された出席票小札とからなる。
【０００５】
そして、株主総会に来場した株主が、当該会社から事前に送られてきた事前に議決権行使書等を会場の受付担当者に渡すと、受付担当者は出席票本体から出席票小札をミシン線に沿って手で引きちぎるようにして切り取る。また、受付担当者は、出席票本体を株主に渡すとともに、出席票小札を議決権行使書等にホッチキス（登録商標）により止めて受付作業を行っていた。これにより会社側としては、どの株主が来場したのかを把握でき、また株主と識別番号を紐付けすることができる。ちなみに、この株主総会出席票に類似するものとして、特許文献１に記載の入場票がある。ただ、これは入場票を切り取って議決権行使書等に貼り付けるのではなく、逆に議決権行使書等を切り取って入場票に貼り付けるタイプのものである。
【先行技術文献】
【特許文献】
【０００６】
【特許文献１】特開２００７−２６５２９８号公報
【考案の概要】
【考案が解決しようとする課題】
【０００７】
しかしながら、受付担当者は切り取った出席票小札を議決権行使書等にホッチキスにより止めたり、あるいはシールを剥がして付けたりするなど、作業が繁雑であり効率的でないという問題があった。もとより、ホッチキス止めを早く行おうとすると、出席票小札が議決権行使書等に傾いた状態で止められるなどして見栄えが悪いものであった。このため特に何百人以上も株主が来場する大手企業の株主総会においては、株主１人１人の作業に手間取ることにより全体として受付作業が滞ってしまうものであった。
【０００８】
本発明は、上述の問題に鑑みてなされたものであって、株主総会において受付作業を効率的に行うことができる株主総会出席票を提供することを目的とする。
【課題を解決するための手段】
【０００９】
本発明は、上述の目的を達成するために、株主総会に来場した株主と関連付けるための株主総会出席票であって、少なくとも株主総会出席票である旨と所定の識別番号が印刷された出席票本体と、該識別番号および／または識別番号に関連付けられた情報が印刷された出席票小札とからなり、前記出席票本体の周縁部に出席票小札が切り取り可能な状態で設けられ、該出席票小札の裏面に接着部が露出された状態で設けられていることを特徴とする。なお、株主総会出席票は、単に出席票と呼ばれたり、あるいは株主総会入場票や入場票などの別名で呼ばれることがあるが、同構成のものは全て同一ものである。
【００１０】
これによれば、株主総会に来場した株主が、当該会社から事前に送られてきた議決権行使書等を会場の受付担当者に渡すと、受付担当者は出席票本体から出席票小札を手で引きちぎるようにして切り取る。そして、受付担当者は、出席票本体を株主に渡すとともに、出席票小札を議決権行使書等に接着部によりそのまま接着することができる。
【００１１】
また、前記出席票小札は、裏面の接着部が接着しない、または接着しにくい非接着層が表面に形成されているのが好ましい。これによれば株主総会出席票を受付等において積み重ねた場合、上下に隣り合う株主総会出席票同士が互いに接着部により接着することを防止することができる。
【００１２】
また、前記非接着層は、出席票小札の表面に塗布された状態で形成されているのが好ましい。これによれば出席票小札の表面に非接着層を簡単かつ確実に形成することができる。
【００１３】
また、前記非接着層は、シリコンニスからなるのが好ましい。これによれば出席票小札の表面に非接着層をより一層簡単かつ確実に形成することができる。
【考案の効果】
【００１４】
本発明によれば、株主総会に来場した株主が、当該会社から事前に送られてきた議決権行使書等を会場の受付担当者に渡すと、受付担当者は出席票本体から出席票小札を手で引きちぎるようにして切り取る。そして、受付担当者は、出席票本体を株主に渡すとともに、出席票小札を議決権行使書等に接着部によりそのまま接着することができる。このため、ホッチキスで止めたり、あるいはシールを剥がして付けることなくなるため、株主総会における受付作業を効率的に行うことが可能となる。
【００１５】
しかも、少なくとも出席票小札の表面に非接着層が形成されている場合、株主総会出席票を重ね合わせて置いたりしても出席票小札同士が接着しないか、あるいは軽く接着しても簡単に剥がすことができる。
【図面の簡単な説明】
【００１６】
【図１】本発明の一実施形態に係る株主総会出席票の正面図である。
【図２】図１の株主総会出席票の背面図である。
【図３】図１の株主総会出席票を株主の首に掛けた状態の斜視図である。
【図４】他の実施形態に係る株主総会出席票の正面図である。
【考案を実施するための形態】
【００１７】
次に本発明の一実施形態について図１〜図３を参照しつつ説明する。
【００１８】
図１は、本実施形態に係る株主総会出席票（以下、本出席票という）の正面図である。
【００１９】
この本出席票１は、出席票本体２と出席票小札３を備え、出席票本体の下部中央部において出席票小札３がミシン線４に沿って切り取り可能な状態で設けられている。本出席票１は、どのような材質から構成されていてもよく、例えば紙材、合成樹脂、発泡ＰＥＴなどが挙げられる。
【００２０】
前記出席票本体２は、会社名２１、株主総会の回数と種類（第８３回定時株主総会）２２、本出席票１である旨（御出席票）２３、識別番号２４、株主総会の説明文２５がそれぞれ印刷されている。これらは本実施形態における一例であり、それらの記載の順番が前後したり、それらの記載のいずれか（但し、識別番号を除く）が印刷されていなかったり、その他の記載が印刷されていてもよい。但し、株主総会の出席票であることがわかり、それに株主Ｐを識別するための識別番号２４が印刷されている必要がある。
【００２１】
また、前記出席票本体２は、上部に長円状の挿通孔２６が穿設されており、該挿通孔２６に紐５が環状に挿通される。これにより図３に示すように株主Ｐは本出席票１を首からぶら下げることが可能となる。なお、本実施形態では紐５を使用しているが、ストラップなどのその他の部材を使用してもよい。
【００２２】
前記出席票小札３は、株主総会の回数と種類（第８３回株主総会）３１、株主Ｐを識別するための識別番号３２、該識別番号３２に関連づけられたバーコード情報３３が印刷されている。これらは本実施形態における一例であり、それらの記載の順番が前後したり、株主総会の回数と種類が印刷されていなかったり、あるいは識別番号３２またはバーコード情報３３のいずれかのみが印刷されていてもよい。
【００２３】
前記出席票本体２と出席票小札３との境界部分には、いわゆるミシン線４が形成されており、出席票本体２から出席票小札３を手で引きちぎることによりミシン線４に沿って平行に切り取ることができるようになっている。
【００２４】
特に本実施形態では、出席票本体２と出席票小札３の境界部分の両側に切り欠き部６が形成されている。仮に切り欠き部がない場合には最初の引きちぎる動作が悪いと、出席票小札３がミシン線４に沿わないで切り取られるおそれがある。しかし、このように切り欠き部が形成されると、出席票本体２から出席票小札３を切り取るときに当該切り欠き部に応力が集中するため、出席票本体２および出席小札の境界部分のミシン線４に沿ってきれいに平行に切り取ることができる。
【００２５】
前記出席票本体２と出席票小札３の表面に非接着層７が形成されている。この非接着層は後述の接着部３４に接着しない、あるいは接着しにくい透明又は半透明の材質からなり、例えばシリコンニスが塗布された状態で形成されている。より具体的には、出席票本体２と出席票小札３の表面にシリコンニスを塗布して乾燥させることにより、シリコンニスからなる非接着層を形成する。
【００２６】
また、出席票小札３の裏面に接着部３４が露出された状態で設けられている。この接着部３４は、株主総会の議決権行使書等の紙類には十分接着されるが非接着層７上ではほとんど接着されないか、あるいは接着されても容易に剥がすことができる既存の接着成分で構成されている。このため本出席票１を受付等で積み重ねたとしても出席票小札３は下側の本出席票１に接着することを防止できる。
【００２７】
なお、議決権行使書等は、図示を省略しているが、例えばハガキタイプのものがあり、会社から株主に事前に送られてくるものである。議決権行使書等は一般に紙類からなり、株主が株主総会に来場したときに議決権行使書等を会場の受付担当者に渡して、その代わりに本出席票１が株主に手渡される。
【００２８】
また、本実施形態では、この接着部３４は、図２に示すように、所定間隔を空けて縦方向および横方向に並んで配置されている複数の小径の接着部３４ａ、・・・からなる。これによれば出席票小札３のほぼ全体に接着部３４を設けながらも接着面積が少なくなり、出席票小札３が必要以上に接着することを防止できる。このため、万一、議決権行使書等に出席票小札３を傾いた状態で接着したり、あるいは議決権行使書等の誤った箇所に出席票小札３を接着した場合、議決権行使書等から出席票小札３を剥がして再度貼り直すことが容易になる。
【００２９】
また、前記出席票小札３の周縁部に接着不可能な空白部３５が設けられている。これによれば出席小札を議決権行使書に貼り付けた場合、出席票小札３の周囲部は議決権行使書に接着していない状態となる。このため、万一、議決権行使書等に出席票小札３を傾いた状態で接着したり、あるいは議決権行使書等の誤った箇所に出席票小札３を接着した場合、出席票小札３の周囲部と議決権行使書等の間に手の爪を挿入しながら摘むことにより、議決権行使書等から出席票小札３を剥がして再度貼り直すことが容易となる。
【００３０】
而して、株主総会に来場した株主Ｐが、当該会社から事前に送られてきた議決権行使書等を会場の受付担当者に渡すと、受付担当者は出席票本体２から出席票小札３を手でちぎるようにして切り取る。そして、受付担当者は、出席票本体２を株主Ｐに渡すとともに、出席票小札３を議決権行使書等に接着部３４によりそのまま接着することができる。このため、ホッチキスで止めたり、あるいはシールを剥がして付けることなくなるため、株主総会における受付作業を効率的に行うことが可能となる。
【００３１】
本実施形態では、出席票本体２および出席票小札３のいずれにも非接着層７が形成されるものとしたが、図４に示すように出席票小札３に非接着層７が形成されるものであればよい。なお、図４では、説明の便宜上、非接着層７を斜線にて表示しているが、実際には透明又は半透明である。
【符号の説明】
【００３２】
１・・・本出席票
２・・・出席票本体
３・・・出席票小札
４・・・ミシン線
５・・・首紐
６・・・切り欠き部
７・・・非接着層
【図１】
0003194042.tif 000003
【図２】
0003194042.tif 000004
【図３】
0003194042.tif 000005
【図４】
0003194042.tif 000006